Podtech/llm-jp-corpus-v4-ja_patent huggingface dataset:
(57)【要約】      （修正有）【課題】点眼が苦手な人でも容器先端を黒目に合せてミラー裏側を指で押して確実に目薬をこぼさずに正確に点眼出来るミラー付き点眼補助具を提供する。【解決手段】ミラー本体１の下部に足を設け、足に角度調節用Ｌ型曲げ部２を設け、足裏に両面テープ３を貼り付け、ミラー本体裏側に飾りとして模様布４を貼り、使用時は目薬先端部を黒目に合せミラーの裏側を人差し指で調節して点眼する。【選択図】図２
0003229577.tif 000002
【実用新案登録請求の範囲】
【請求項１】
ミラー本体１の下部に足部を設け、足に角度調節用Ｌ型曲げ部２を設け、足裏に両面テープ３を貼り付け、ミラー本体裏側に飾りとして模様布４を貼り、使用時は目薬先端部を黒目に合せミラーの裏側を人差し指で調節して点眼する。
以上の構成によりなるミラー付き点眼補助具。
【考案の詳細な説明】
【技術分野】
【０００１】本考案は、目薬容器にプラスチックミラーを貼り付けた点眼用ミラー補助具に関するものである。
【背景技術】
【０００２】点眼する場合は指で目の下を押し下げて点眼していた。
【先行技術文献】
【特許文献】
【０００３】
【非特許文献】
【０００４】
【非特許文献１】発明で一攫千金  別冊宝島２１９４  目薬点眼補助具  「アカンベー」
【考案の概要】
【考案が解決しようとする課題】
【０００５】点眼時不器用な人は目薬をこぼしたり、目の下を指で押し下げる場合は非衛生的である。従って容器とミラーの機能を一体化することにより一回で正確に点眼が可能になり前述の欠点を解決しようとするものである。
【課題を解決するための手段】
【０００６】本考案は、容器本体に薄くて軽いプラスチックミラーに取り付け用に足を設け、Ｌ型角度調節部２を設け、Ｌ型下部に両面テープを貼り付け、容器交換時は着脱自在に、点眼時はミラーの裏面を指で押して角度調節自在とすることにより容器先端がまつ毛や指が皮膚に触れないため衛生的で問題点を解決している。
【考案の効果】
【０００７】上述のように、本考案は点眼が苦手な人でも容器先端を黒目に合せてミラー裏側を指で押して確実に目薬をこぼさずに正確に点眼補助具として役立つ。
【図面の簡単な説明】
【０００８】
【図１】本考案の点眼ミラーの正面図である。
【図２】本考案の側面使用図である。
【考案を実施するための形態】
【０００９】  薄くて軽いプラスチックミラー材を図１正面図の様に発砲スチロールカッターで（２）の位置で折り曲げ容器取付位置に両面テープ（３）を貼り、ミラー裏側に模様布を（４）を貼り、容器とミラーを交換時に着脱自在となる。点眼時は容器を持ちミラーの裏側を人差し指で押して黒目に合せて点眼する。
【実施例】
【００１０】    以下、添付図面に従って実施例を説明する。
１  は薄くて軽いミラーを一体化形成されたミラー本体。
２  は角度調節用弾力性のあるミラーの足。
３  は容器とミラーを貼り合せ容器交換用両面テープ。
４  は装飾用模様布張りで人差し指で調整する裏側。
本考案は上記の如き構成からなるものである。
【符号の説明】
【００１１】    １  ミラー本体
２  角度調節Ｌ型曲げ部
３  両面テープ
４  裏側模様布
５  薬容器
６  指
【図１】
0003229577.tif 000003
【図２】
0003229577.tif 000004
【手続補正書】
【提出日】令和2年9月4日(2020.9.4)
【手続補正１】
【補正対象書類名】実用新案登録請求の範囲
【補正対象項目名】全文
【補正方法】変更
【補正の内容】
【実用新案登録請求の範囲】
【請求項１】
プラスチックミラーに角度調節用足を一体化形成容器に係脱自在としたところを特徴とするミラー付き点眼補助具。
(57)【要約】      （修正有）【課題】大量に深紫外線をあてて消毒することができる全自動洗濯乾燥機を提供する。【解決手段】全自動洗濯乾燥機は蓋２の内側に深紫外線ＬＥＤランプ３が取り付けられており、中に入れたものに深紫外線を照射し殺菌する。衣服等を全自動洗濯乾燥機の中に入れ、全自動洗濯乾燥機のメニューを乾燥に設定し、深紫外線を当てることによって、早く大量に衣類等の消毒ができる。【選択図】図１
0003229571.tif 000002
【実用新案登録請求の範囲】
【請求項１】
全自動洗濯乾燥機に深紫外線ＬＥＤを取り付け、中にいれたものに深紫外線を照射し、殺菌することを特徴とする、深紫外線ＬＥＤ付き全自動洗濯乾燥機
【考案の詳細な説明】
【技術分野】
【０００１】本考案は、全自動洗濯機で洗濯物を乾燥しながら、殺菌もするという全自動洗濯乾燥機に関するものである。
【背景技術】
【０００２】深紫外線ＬＥＤは、微生物やウイルスを殺菌するものとして、殺菌庫やハンディ殺菌ランプ、口腔ケア商品等様々な場面で使われるようになってきている。
【考案の概要】
【考案が解決しようとする課題】
【０００３】ウイルス禍が流行り、できるだけウイルスとの接触を避けなければならない時には、大量の衣類等の殺菌が必要とされる。
【課題を解決するための手段】
【０００４】本考案は、家庭用や業務用に使用されている、全自動洗濯乾燥機に深紫外線ＬＥＤを搭載し、全自動洗濯乾燥機の中に入れたものに深紫外線を照射し、殺菌を行う。
全自動洗濯乾燥機だけでなく、既存の家庭用や業務用の、乾燥機にも、深紫外線ＬＥＤを搭載することも考えられる。
【考案の効果】
【０００５】ハンディタイプの深紫外線照射器よりも、もっと大量に深紫外線をあてて消毒することができる。【０００６】洗濯して濡れたものを乾かす際だけではなく、外から帰ってきた時の衣服等を全自動洗濯乾燥機の中に入れ全自動洗濯乾燥機のメニューを乾燥に設定し、深紫外線を当てることによって早く、大量に衣類等の消毒ができる。【０００７】  オゾン殺菌等も取り入れ併用するとさらに、強力に殺菌することができる。
【図面の簡単な説明】
【０００８】
【図１】全自動洗濯乾燥機のドアに深紫外線ＬＥＤを取り付けた図
【考案を実施するための形態】
【０００９】家庭用及び業務用に出回っている全自動洗濯乾燥機のドアに深紫外線ＬＥＤを取り付け洗濯した衣類等を乾燥しながら、深紫外線を当て殺菌したり、乾燥した衣類を全自動洗濯乾燥機の中に入れ、前期全自動洗濯乾燥機のメニューを乾燥のみにし、深紫外線をあてて短時間に衣類等を殺菌できる。
【符号の説明】
【００１０】１全自動洗濯乾燥機本体
２全自動洗濯乾燥機のドア
３深紫外線ＬＥＤ
【図１】
0003229571.tif 000003
【手続補正書】
【提出日】令和2年9月3日(2020.9.3)
【手続補正１】
【補正対象書類名】実用新案登録請求の範囲
【補正対象項目名】全文
【補正方法】変更
【補正の内容】
【実用新案登録請求の範囲】
【請求項１】
全自動洗濯乾燥機と深紫外線ＬＥＤランプの組み合わせであり、全自動洗濯乾燥機の蓋の内側に深紫外線ＬＥＤランプを取り付けたことを特徴とする深紫外線ＬＥＤ付き全自動洗濯機。
(57)【要約】      （修正有）【課題】隣り合う洗濯ばさみ同士の間隔を自由に調整でき、様々な洗濯物の幅に柔軟に対応することが可能なピンチハンガーを提供する。【解決手段】ピンチハンガーは、ピンチハンガー本体にレール構造１を備え、そのレール１上を洗濯ばさみ３が自由に滑走することを可能にすることで、隣り合う洗濯ばさみ３同士の間隔を自由に調整することができ、様々な洗濯物の幅へ対応することができる。【選択図】図１
0003229580.tif 000002
【実用新案登録請求の範囲】
【請求項１】
洗濯ばさみがレール上を自由に滑走することで、様々な大きさの洗濯物に対応可能なピンチハンガー
【考案の詳細な説明】
【技術分野】
【０００１】  本考案は、洗濯ばさみがレール上を自由に滑走することができる、ピンチハンガーに関するものである。
【背景技術】
【０００２】  従来のピンチハンガーは、洗濯ばさみの位置があらかじめ固定されており、様々な洗濯物の幅に柔軟に対応ができないという課題を抱えていた。
【先行技術文献】
【特許文献】
【０００３】
【特許文献１】意匠登録第１６３４８８７号（Ｄ１６３４８８７）号  公報
【特許文献２】特開２０２０−６９３６３（Ｐ２０２０−６９３６３Ａ）号  公報
【特許文献３】特開２０１５−１１６２４７（Ｐ２０１５−１１６２４７Ａ）号  公報
【考案の概要】
【考案が解決しようとする課題】
【０００４】  従来のピンチハンガーは、洗濯ばさみの位置があらかじめ固定されており、様々な洗濯物の幅に柔軟に対応ができないという課題を抱えていた。
しかしながら、洗濯ばさみがレール上を自由に滑走できる構造としてやれば、隣り合う洗濯ばさみ同士の間隔を自由に調整でき、様々な洗濯物の幅に柔軟に対応することが可能となる。
【課題を解決するための手段】
【０００５】  本考案は、ピンチハンガー本体へ直接洗濯ばさみを固定するのではなく、ピンチハンガー本体にレール構造を備え、そのレール上を洗濯ばさみが自由に滑走し、隣り合う洗濯ばさみ同士の間隔を自由に調整することで、様々な洗濯物の幅へ対応する。
これはカーテンレールの構造に良く似ている。ピンチハンガー本体がカーテンレールとすれば、洗濯ばさみがカーテンフックである。そしてカーテンフックを装着してカーテンレール上を滑走するカーテンランナーと同様の機能を持つジョイント部品を充てれば、本考案の仕組みは完成する。
【考案の効果】
【０００６】  上述のように、本考案のレール式ピンチハンガーは、レール上を洗濯ばさみが自由に滑走し、隣り合う洗濯ばさみ同士の間隔を自由に調整することで、様々な洗濯物の幅へ対応することが可能となる。
なお、洗濯ばさみが自由に滑走できることにより予想される弊害は、一定のエリアにおいて洗濯ばさみが集中し、逆に一定のエリアのおいて洗濯ばさみが不足するといった現象であろう。
これについては、先に挙げたカーテンの例が有用である。カーテンランナーには、カーテンレールを外すことなくその脱着が可能な、後入れ可能なタイプがある。
本考案にもこれを応用して、レールから簡単に脱着可能なジョイント部品を用意してやれば、想定される弊害は排除可能である。
【図面の簡単な説明】
【０００７】
【図１】ピンチハンガー一部の断面図である。
【図２】ピンチハンガーを下方から見た図である。
【考案を実施するための形態】
【０００８】  図１及び図２の示す通り、洗濯ばさみを自由に滑走させるために、ピンチハンガー全体をレール構造とする。なお、縦のレールから横のレールへの洗濯ばさみの移動も可能とする。
さらにジョイント部品については、９０°回転させる等して容易にレールへ脱着が可能な、後入れ可能なタイプとする。
それ以外の機構については、従来のピンチハンガーと変わるところはない。
【実施例】
【０００９】  本考案は、レール構造を備える点以外は、従来のピンチハンガーと変わるところはない。そのため材質等についても、従来のものと同様、プラスチック製や金属製のもの等を想定している。
しかしながら、従来のピンチハンガーでは想定してこなかった、洗濯ばさみ及びジョイント部品がレール上を滑走する際に係る圧力や摩擦等を考慮すると、レール部は金属にしてジョイント部はプラスチックにするといった、複数材質の組合せも必要となる。
【符号の説明】
【００１０】  １  ピンチハンガー本体（レール構造）
２  ジョイント部分
３  洗濯ばさみ
４  ピンチハンガー本体（レール構造）
５  洗濯ばさみ
６  吊り下げ具
７  吊り下げ補助具
【図１】
0003229580.tif 000003
【図２】
0003229580.tif 000004
【手続補正書】
【提出日】令和2年9月6日(2020.9.6)
【手続補正１】
【補正対象書類名】実用新案登録請求の範囲
【補正対象項目名】請求項１
【補正方法】変更
【補正の内容】
【請求項１】
本体にレール構造を備え、そのレール上を洗濯ばさみが滑走することを可能にすることで、隣り合う洗濯ばさみ同士の間隔を自由に調整することができ、様々な洗濯物の幅へ対応が可能なピンチハンガー
(57)【要約】      （修正有）【課題】ネコ乳腺がんの塊を実際に触知できることが可能なネコ乳腺がんモデルを提供する。【解決手段】ネコ乳腺がんモデルは、ソフトウレタン材もしくはエラストマー性樹脂を用いた軟らかな素材で、生体と同様な形態と感触をもつ乳腺組織ａを作成し、その中に直径１ｍｍから３０ｍｍに至る乳腺がんｂに酷似した塊状物を数点埋め込む。【選択図】図１
0003229528.tif 000002
【実用新案登録請求の範囲】
【請求項１】
ネコの乳腺がんモデルにおいて、柔らかな乳腺様のウレタン材もしくはエラストマー樹脂で出来た４対（８個）の乳頭を持つネコの乳腺に、プラスチックもしくは紙粘土等で出来た直径１ｍｍから３０ｍｍに至る乳腺がん様の塊を複数埋め込んで作成したネコ乳腺がんモデル（図１）、（図２）、（図３）。
【請求項２】
一つの乳房に１〜２個以上の乳腺がん様の塊状物を埋め込んだ家庭用簡易型の乳腺モデル（図４）、（図５）。
【考案の詳細な説明】
【技術分野】
【０００１】  本開発は雌ネコの乳腺がんを再現した動物医療用モデルである。
【背景技術】
【０００２】  動物医療のトレーニングには実験動物が用いられてきたが、ヒト医療だけでなく動物医療でも代替法の開発が推奨されている。ネコ乳腺がんモデルは、動物医療実習での視診及び触診トレーニングの教材として必須であり、また愛ネコの乳腺がんの自宅での早期発見においても有効な手段となるので、ネコの乳腺がんシュミレーションモデルを作成した。
【先行技術文献】
【０００３】
【特許文献１】イヌ・ネコの肛門モデル  実登３１８７９３６
【特許文献２】ネコ触診モデル  実登３１８７９３７
【特許文献３】イヌ・ネコの新生児モデル  実登３２０１６４７
【特許文献４】イヌ・ネコの出産モデル  実登３２０１６４８
【特許文献５】イヌ乳腺腫瘍触診モデル  実登３２０７６１８
【特許文献６】イヌの耳処置モデル  実登３２１４４１９
【考案の概要】
【考案が解決しようとする課題】
【０００４】  獣医療実習には健常な実験動物を用いることが一般的であった。シミュレーション教材として本開発モデルを用いることは、動物への負担が軽減されるので動物福祉の理念に適合する。また、ネコでは発生した乳腺腫瘍のうち約８割が悪性腫瘍（がん）であるので、生体の感触に近いネコの乳腺がんの視診及び触診実習が可能なネコの乳腺がんモデルの開発により、ネコの乳腺がんの早期発見が実現し、愛ネコのがんでの死亡率を低下させることができる。
【課題を解決するための手段】
【０００５】  ウレタン材もしくはエラストマー性樹脂を用いた軟らかな素材で、生体と同様な形態と感触をもつ乳腺組織を作成し、その中に直径１ｍｍから３０ｍｍに至る乳腺がんに酷似した塊状物を数点埋め込むことで、実物に近いネコ乳腺がんモデルを作成する。
【考案の効果】
【０００６】  獣医師・動物看護師の実習教育の場において教材として有効であるとともに、愛ネコ飼育者の自宅での研修によりネコ乳腺がんの早期発見が可能となる。
【図面の簡単な説明】
【０００７】
【図１】ネコ乳腺がん触診モデル（正面）
【図２】ネコ乳腺がん触診モデル（後側面）
【図３】ネコ乳腺がん触診モデル（横側面）
【図４】家庭用小型触診モデル正面図（単一乳房型）
【図５】家庭用小型触診モデル側面図（単一乳房型）
【考案を実施するための形態】
【０００８】  本発明について詳細に説明する。本発明は、愛玩動物であるネコの乳腺（ａ）及び乳腺がん（ｂ）の視覚および触感を再現したネコ乳腺がんモデルである。
【実施例１】
【０００９】  雌ネコの乳腺を模した型を作成し、適切な感触かつ色合いをみたすように着色したウレタン材もしくはエラストマー性樹脂を注入したものである。
【実施例２】
【００１０】  乳腺がんの塊状物は、雌ネコの乳腺（ａ）に１ｍｍから３０ｍｍにいたる塊状のプラスチックもしくは粘土状素材を埋め込むことで再現する。
【符号の説明】
【００１１】  ａ  ネコ乳腺
ｂ  ネコ乳腺がん
【図１】
0003229528.tif 000003
【図２】
0003229528.tif 000004
【図３】
0003229528.tif 000005
【図４】
0003229528.tif 000006
【図５】
0003229528.tif 000007
【手続補正書】
【提出日】令和2年8月20日(2020.8.20)
【手続補正１】
【補正対象書類名】実用新案登録請求の範囲
【補正対象項目名】全文
【補正方法】変更
【補正の内容】
【実用新案登録請求の範囲】
【請求項１】
ネコの乳腺がんモデルにおいて、柔らかな乳腺様のウレタン材もしくはエラストマー樹脂で出来た４対（８個）の乳頭を持つネコの乳腺に、プラスチックもしくは紙粘土で出来た直径１ｍｍから３０ｍｍに至る乳腺がん様の塊を複数埋め込んで作成したネコ乳腺がんモデル。
【請求項２】
一つの乳房に１〜２個以上の乳腺がん様の塊状物を埋め込んだ乳房型を特徴とする請求項１記載のネコ乳腺がんモデル。
(57)【要約】      （修正有）【課題】普段携帯時には吹き口にカバーがかかっており、使用時にはワンタッチで吹き口が露出する衛生的な防犯用のホイッスルを提供する。【解決手段】ホイッスル８を外カバーの蓋５の中央の穴４を通して輪っか２と一体化させ、輪っかは、着脱を可能にするピンチ３と連結している。また、ホイッスルは、外カバー６と内カバー７に収納され外カバーの開口の大きさは内カバーが飛び出さない構造になっている。【選択図】図１
0003229529.tif 000002
【実用新案登録請求の範囲】
【請求項１】
外カバーと内カバーと外カバーの蓋に取り付けた輪っかからなり、ホイッスルの吹き口を上に向けた時に内カバーが下降することにより吹き口が露出し、輪っかで保持する通常時には内カバーが下降して吹き口全体を覆う構造であることを特徴とする防災防犯用ワンタッチカバー付ホイッスル。
【請求項２】
外カバーの開口は、ホイッスルの不使用時外カバーから内カバーが飛び出さない大きさになっているので、外カバーと内カバーに収納され、使用時は防災防犯用ワンタッチカバー付ホイッスルを上向きにすることで内カバーが外カバーに収納されホイッスルが出てくる請求項１記載の防災防犯用ワンタッチカバー付ホイッスル。
【考案の詳細な説明】
【技術分野】
【０００１】  本考案は防災防犯用を目的としたホイッスルに関する。
【背景技術】
【０００２】  近代社会においては、年々自然災害が甚大になり、犯罪にもいつ何時巻き込まれるかわからない犯罪に巻き込まれたり、危険を感じたときは助けを呼ぶことが必要であるが、なかなか大声を咄嗟に出すことが難しく、声を出してもなかなか付近の人に届きづらいのが現状である。そんな時には一般的にはホイッスルを吹くという行為で近くの人の注意を集め、助けを求める方法がある。ホイッスルは各種各様のものが市販されているが、常時持ち歩くときには吹き口の汚れやごみ付着が気になることが多い。ホイッスルか簡単な構造であるが、吹き口がむき出しであると汚れや細菌付着が起きうるという問題点があった。
【先行技術文献】
【特許文献】
【０００３】
【特許文献１】実開昭５３−１２６５７７号公報
【考案の開示】
【考案が解決しようとする課題】
【０００４】  一般市販のホイッスルは簡単な構造をしていて、吹き口がむき出しとなっているため、不衛生であり、普段携帯時には吹き口にカバーがかかっており、使用時にはワンタッチで吹き口が露出する防犯用のホイッスルを提供する。
【課題を解決するための手段】
【０００５】本考案は
外カバーと内カバーと外カバーの蓋に取り付けた輪っかからなり、ホイッスルの吹き口を上に向けた時に内カバーが下降することにより吹き口が露出し、輪っかで保持する通常運搬時には内カバーが下降して吹き口全体を覆う構造であることを特徴とする防災防犯用ワンタッチカバー付ホイッスル
である。
この課題を解決するための防災防犯用ワンタッチカバー付ホイッスル１は、具体的には、ホイッスル８が、外カバーの蓋５の中心の穴４を通して輪っか２と連結されており内カバー７が外カバー６の内部で自由に上下する構造になっている。
そのため外カバー６を上方向に保持すると、内カバー７が外カバー６の中に収納され、ホイッスル８が露出する。
【考案の効果】
【０００６】  本考案の防災防犯用ワンタッチカバー付ホイッスルは、防災防犯用ワンタッチカバー付ホイッスル１であって、ホイッスル８を使用しない時は外カバー６と内カバー７に収納されている。使用する時は、本体防災防犯用ワンタッチカバー付ホイッスル１の外カバー６を持ち。そのまま口元へ持って行くと、内カバー７が外カバー６の中に収納され、ホイッスル８が露出する。
【図面の簡単な説明】
【０００７】
【図１】防災防犯用ワンタッチカバー付ホイッスルを正面から見た図
【図２】防災防犯用ワンタッチカバー付ホイッスルを裏面から見た図
【図３】防災防犯用ワンタッチカバー付ホイッスルを真上から見た図
【図４】防災防犯用ワンタッチカバー付ホイッスルを分解した図
【図５】防災防犯用ワンタッチカバー付ホイッスルを携帯している図
【図６】防災防犯用ワンタッチカバー付ホイッスルが使用可能な状態の図
【図７】防災防犯用ワンタッチカバー付ホイッスルの使用している図
【考案を実施するための形態】
【０００８】  本考案は、災害や犯罪に巻き込まれ、救助を求める時の緊急用ホイッスルを衛生的かつ即時に使用できるものである。そのため、ホイッスル８は外カバーの蓋５の中心の穴４を通して輪っか２と連結しており、輪っか２を着脱可能にするピンチ３と連結している。
【０００９】  本考案は災害や犯罪に直面した時、即時に使用できるように、防災防犯用ワンタッチカバー付ホイッスルの本体を口元に運ぶだけでホイッスル８が本体１から突き出し使用できるものである。
また、身体の外側に取り付けていても、外カバー６と内カバー７の２重構造で衛生上安心である。
【符号の説明】
【００１０】  １  防災防犯用ワンタッチカバー付ホイッスル
２  輪っか
３  ピンチ
４  外カバー蓋の穴
５  外カバー蓋
６  外カバー
７  内カバー
８  ホイッスル
９  フック
【図１】
0003229529.tif 000003
【図２】
0003229529.tif 000004
【図３】
0003229529.tif 000005
【図４】
0003229529.tif 000006
【図５】
0003229529.tif 000007
【図６】
0003229529.tif 000008
【図７】
0003229529.tif 000009
【手続補正書】
【提出日】令和2年8月28日(2020.8.28)
【手続補正１】
【補正対象書類名】実用新案登録請求の範囲
【補正対象項目名】全文
【補正方法】変更
【補正の内容】
【実用新案登録請求の範囲】
【請求項１】
外カバーと内カバーと外カバーの蓋に取り付けた輪っかからなり、ホイッスルの吹き口を上に向けた時に内カバーが下降することにより内カバーは外カバーに収納され吹き口が露出し、輪っかで保持する通常時には内カバーが下降して外カバーの外に出て吹き口全体を覆い、ホイッスルは使用しない時には内カバーに収納される構造であることを特徴とする防災防犯用ワンタッチカバー付ホイッスル。
【請求項２】
外カバーの開口は、ホイッスルの不使用時外カバーから内カバーが飛び出さない大きさになっているので、外カバーと内カバーに収納され、使用時は防災防犯用ワンタッチカバー付ホイッスルを上向きにすることで内カバーが外カバーに収納されホイッスルが出てくる請求項１記載の防災防犯用ワンタッチカバー付ホイッスル。
(57)【要約】      （修正有）【課題】任意の形状や素材のフィルターを容易に取り付けることが可能なマスクを提供する。【解決手段】従来のマスク３の内側左右両側に、縫付、接着、圧着、一体成型等によって上下方向にかけてフィルター取付帯１を設けることで、任意の形状や素材のフィルター等を、容易に追加、取付、取外し、交換を可能とし、同時にフィルター等の脱落を防止する。【選択図】図１
0003229527.tif 000002
【実用新案登録請求の範囲】
【請求項１】
マスクの内側（顔と接触する側）に、任意のフィルター素材等を容易に追加、取付、取外し、交換を可能とする構造で、フィルター素材等を支持し、脱落を防ぐことを目的とするフィルター取付帯を有するマスク。
【請求項２】
縫付、接着、圧着、一体成型等の方法により、マスクの内側（顔と接触する側）にフィルター取付帯が取り付けられたマスク。
【考案の詳細な説明】
【技術分野】
【０００１】      世界的に流行している新型コロナウィルスの蔓延や、従来の花粉症やインフルエンザの流行等で、使い捨てマスクが入手困難となっている為、使い捨て不織布マスクを止む無く繰り返し使う際や、布マスクやその他素材の再利用可能なマスクに、フィルター素材等を容易に追加、取付、取外し、交換を可能とする考案。
【背景技術】
【０００２】      従来のマスクは、マスク本体がフィルター機能を有しているか、あるいはマスク素材の間のポケット様の隙間にフィルター素材を挟み込む方式であり、その構造が複雑であったり、専用フィルターが必要であったりする為、フィルター素材の装着や交換が自由かつ簡易とは言い難い面がある。
【考案の概要】
【考案が解決しようとする課題】
【０００３】    従来のマスクに容易にフィルター等を取り付ける為の構造を設ける事で、フィルター等に任意の物を選択する事を可能とし、取付方法も容易で、且つ、複雑な構造を排して、生産における工程の増加を極力抑えること。
【課題を解決するための手段】
【０００４】      この考案は、マスクの内側（顔と接触する側）に、縫付、接着、圧着、一体成型等の方法でフィルター取付帯を設け、マスク本体とフィルター取付帯の間に、任意の素材や形状のフィルターや肌を保護するガーゼ等を通して固定・支持する事を可能とする。
【考案の効果】
【０００５】      任意のフィルターの他にも地肌を保護する為のガーゼ等も同時に装着可能であり、形状や枚数を自由に調節可能で、複数枚重ねて取り付けることも可能であり、利用者の求めに応じて装着素材を自由に変更可能であり、取付方法も容易で、生産工程の大幅な増加にもならなず、この考案で解決しようとする課題を解決できる。
【図面の簡単な説明】
【０００６】
【図１】平面タイプのマスクにおける考案物の平面図。
【図２】平面タイプのマスクにおける考案物の斜視図。
【図３】立体タイプのマスクにおける考案物の平面図。
【図４】立体タイプのマスクにおける考案物の斜視図。
【考案を実施するための形態】
【０００７】
【図５】
平面タイプのマスクにおける考案物の実施形態。
【図６】
立体タイプのマスクにおける考案物の実施形態。
【０００８】  図５及び図６の符号５が示す任意のフィルター等は、任意の素材や形状を単体あるいは複数枚重ねて挟み込むこともできる。
【実施例】
【０００９】
【図７】
平面タイプのマスクにおける考案物の実施例。
【図８】
平面タイプのマスクにおける考案物の実施例。
【００１０】  図７及び図８の符号５が示す任意のフィルター等は、マスクの内側（顔と接する側）に装着されているものを、図面上では透過させて表示している。
【符号の説明】
【００１１】１  フィルター取付帯
２  フィルター取付帯のマスク本体への取り付け部
３  マスク本体
４  耳掛け部
５  任意のフィルター等
【図１】
0003229527.tif 000003
【図２】
0003229527.tif 000004
【図３】
0003229527.tif 000005
【図４】
0003229527.tif 000006
【図５】
0003229527.tif 000007
【図６】
0003229527.tif 000008
【図７】
0003229527.tif 000009
【図８】
0003229527.tif 000010
【手続補正書】
【提出日】令和2年8月31日(2020.8.31)
【手続補正１】
【補正対象書類名】実用新案登録請求の範囲
【補正対象項目名】全文
【補正方法】変更
【補正の内容】
【実用新案登録請求の範囲】
【請求項１】
マスクの内側（顔と接触する側）に、マスクの中心より左右方向両側で、それぞれ上下方向に掛けて、フィルター素材を取付・保持する為の帯を有する事を特徴とするマスク。
【請求項２】
マスクの内側（顔と接触する側）にマスクの中心より左右方向両側で、それぞれ上下方向に掛けて、フィルター素材を取付・保持する為の帯を、縫付、接着、圧着、一体成型等の方法によって取り付けたマスク。
【手続補正２】
【補正対象書類名】明細書
【補正対象項目名】０００６
【補正方法】変更
【補正の内容】
【０００６】
【図１】平面タイプのマスクにおける考案物の平面図。
【図２】平面タイプのマスクにおける考案物の斜視図。
【図３】立体タイプのマスクにおける考案物の平面図。
【図４】立体タイプのマスクにおける考案物の斜視図。
【図５】平面タイプのマスクにおける考案物の実施形態。
【図６】立体タイプのマスクにおける考案物の実施形態。
【図７】平面タイプのマスクにおける考案物の実施例。
【図８】平面タイプのマスクにおける考案物の実施例。
(57)【要約】      （修正有）【課題】簡単に制作でき、低価格の防音パネルを製作する。【解決手段】デッキプレート１の片面に、吸音材３を張りつけ、反対面に、遮音材２を張り付け、製作した防音パネルである。【選択図】図２
0003229530.tif 000002
【実用新案登録請求の範囲】
【請求項１】
デッキプレート（１）に、吸音材（３）と遮音材（２）を組み合わせて製作した防音パネル。
【考案の詳細な説明】
【考案の詳細な説明】
【技術分野】
【０００１】この考案は、デッキプレート（１）に吸音材（３）と遮音材（２）を組み合わせて製作された、防音パネルに関するものである。
【背景技術】
【０００２】  従来のパネルは、デッキプレート（１）に相当する部分を、鋼板を曲げ加工され、製作されたパネル。
または、鋼板に鋼製の角パイプとかＬ型鋼を組付け、製作された物であり、これに吸音材（３）・遮音材（２）を張り合わせて製作されていた。製作するのに、多くの作業手間がかかり、さらに曲げ機などの機械設備が必要であり、溶接等技術者でないと製作が困難であった。
【考案が解決しようとする課題】
【０００３】  本考案のパネルは、簡単に製作でき、機械設備も不要で、溶接等技術も不要、安価製作が課題であって、これらの要望に応えるべく考案されたものである。
【課題を解決するための手段】
【０００４】  簡単に製作できて、機械設備も、溶接等技術も不要で製作できる為に、一般建築に使用される、デッキプレート（１）を利用したものである。
デッキプレート（１）とは、このデッキプレート（１）上にコンクリートを打ち、型枠を兼ねた床の下地材として使われるものであり、屋根材として使われることもある物であり一般建築材料である。
このデッキプレート（１）に吸音材（３）と遮音材（２）を張り合わせるだけである。張り合わせは、ビス止め、接着で、溶接など不要である。
【考案を実施するための形態】
【０００５】本考案の実施形態を図面にて説明すれば、［図３］は、デッキプレート（１）の吸音面側に板状の吸音材（３）が張り付けてあり、遮音面側には、鋼板製の遮音材（２）が張り付けられている。
［図４］デッキプレート（１）の吸音面側にグラスウールとかウレタンスポンジ等の吸音材（３）か張り付けられていて、その内側に、シート状または、板状の遮音材（２）が張り付けられている。
張り付けも、ビス止めとか、接着剤張り付け、その他任意の固定方法が考えられる。また、吸音材（３）と遮音材（２）の材質も任意でいろいろと考えられるし、それらの異なった組み合わせもまた、任意である。デッキプレート（１）の形状、サイズは多々あるので、任意で選定して使用すればよい。
【考案の効果】
【０００６】  本考案のパネルは、簡単に製作でき、機械設備も不要であり、特に溶接等技術も不要あり、パート・アルバイト等未経験者でも容易に製作ができ、また、短時間で製作できるために、安価に製作でき、コストダウンすることが可能で、効果は多大である。また、音の低減効果も多大である。
【図面の簡単な説明】
【図１】は、デッキプレート（１）の側面図である。
【図２】は、本考案の完成形態の側面図・平面図である。
【図３】は、板状の吸音材（３）と鋼板製遮音材（２）を張り付けた、本実施形態の側面図である。
【図４】は、グラスウール製吸音材（３）と板状の遮音材（２）を、張り付けた、本実施形態の側面図である。
【符号の説明】（１）デッキプレート
（２）遮音材
（３）吸音材
【図１】
0003229530.tif 000003
【図２】
0003229530.tif 000004
【図３】
0003229530.tif 000005
【図４】
0003229530.tif 000006
【手続補正書】
【提出日】令和2年8月26日(2020.8.26)
【手続補正１】
【補正対象書類名】実用新案登録請求の範囲
【補正対象項目名】全文
【補正方法】変更
【補正の内容】
【実用新案登録請求の範囲】
【請求項１】
デッキプレート（１）の片面に、吸音材（３）を張りつけ、反対面に、遮音材（２）を張り付け、製作した防音パネル。
(57)【要約】      （修正有）【課題】保管／組み立てが容易で、乗用車内での仮眠時に、下肢の折曲がりによる苦痛を防止する仮眠用器具を提供する。【解決手段】運転席と助手席に、座席の先端とダッシュボードの下部までの長さが調節でき、仮眠者の下肢部が、直線状に近い状態に維持できる器具を設ける。器具の上面がダッシュボード方向に低くなる角度をつけ、ふくらはぎ部が器具の上面に接し、下肢が直線状に伸びる構造とする。組み立ては筋押しにより行い、糊や接着テープの使用は必要としない。材料はリサイクルできるボール紙や段ボールを使用し、組み立て前の素材は平板状なので、保管は積み上げが可能となる。【選択図】図１
0003229537.tif 000002
【実用新案登録請求の範囲】
【請求項１】
乗用車内で仮眠しなければならないことがある。運転席又は助手席で仮眠すると、下肢が折れ曲がった状態になるので苦痛が発生する。座席の先端部とダッシュボードの下までに設置して、下肢を直線状に維持して、足の長さに合わせて長さが調節でき、ダッシュボード側を低くする傾斜を設けた、苦痛を解消する仮眠用器具
【考案の詳細な説明】
【技術分野】
【０００１】  本考案は、乗用車内で仮眠する際の下肢が下方に折れた状態により発生する、苦痛を解消する器具に関すものである。
【背景技術】
【０００２】  地震や水害等の災害発生時に、避難所へ避難した際に、避難所がいっぱいで、自家用車内で仮眠をしなければならないことがある。運転席又は助手席で仮眠をすると、下肢が下方に折れ曲がり、苦痛を感じることがある。
【考案の概要】
【考案が解決しようとする課題】
【０００３】  災害発生時の避難所では、新型コロナウイルス感染防止対策として、ソーシャルディスタンスにより、収容人員が従来の設定人数の７０％減となっており、多くの避難者の受け入れが困難となっている。報道ではホテルや知人宅及び自動車内の分散避難を提案している。自動車内の運転席や助手席での仮眠は、下肢が折れ曲がり苦痛が発生する恐れが想定される。ＴＶでは自動車内の仮眠時に、ベニヤ板を座席上に置いて仮眠する方法が報じられているが、狭い車内で使用することは難しく、車内で保管することも解決しなければならない。
【課題を解決するための手段】
【０００４】  運転席端又は助手席端よりダッシュボードの下まで、リサイクル可能なボール紙や段ボールで作られた、外枠と内枠により構成された、長さを調節できる器具を設置する。器具の上面を、ダッシュボード側を低くする傾斜を設ける。
【考案の効果】
【０００５】  下肢が折れ曲がることなく、仮眠者の上体と同じように直線状に維持できるので、長時間の車内での仮眠が可能となる。器具の上面に角度をつけたことにより、下肢のふくらはぎ部が自然な状態で器具の上面に接するので、下肢の苦痛を和らげる効果にもつながる。器具の上面に角度がない場合は、器具の上面と接するかかとに下肢の重量がかかり、下肢の苦痛の解消を妨げる。
平板状に加工した部材の組み立ては、工具を必要としないので、子供や高齢者でも容易にできる。新型コロナウイルス感染防止によるソーシャルディスタンスにより、避難所の収容人数が大幅に減少し、車内の宿泊が余儀なくされる場合に、本考案の使用が活用できる。
【図面の簡単な説明】
【０００６】
【図１】器具の外枠と内枠を組み立てた斜視図
【図２】器具外枠の斜視図
【図３】器具内枠の斜視図
【図４】器具外枠素材の展開図
【図５】器具内枠素材の展開図
【考案を実施するための形態】
【０００７】    器具の外枠と内枠をボール紙又は段ボールで平板状に加工する。保管は平板状なので積み重ねが可能となる。組み立ては筋押しに従い内側に折り曲げて組み立てる。器具外枠の折込み部を器具外枠の内側に押し込み、器具内枠の折込み部を器具内枠の内側に押し込むことで、組み立てる際には糊や接着テープの使用は必要ない。
【実施例】
【０００８】    以下、添付図面に従って一実施例を説明する。ボール紙又は段ボールで作成された図４の器具外枠の素材と図５の器具内枠の素材を、４の筋押しにより折り曲げて、図２の器具外枠と図３の器具内枠に組み立て、図４の折込み部３を図２の器具外枠の内側に押し込み、図５の折込み部３を図３の器具内枠の内側に押し込み、糊や粘着テープ使用することなく成型ができる。器具を使用する際は、図２の器具外枠と図３の器具内枠を組み合わせ、図１の状態とする。図２の器具外枠の閉部を座席の前端に接するように置き、図３の器具内枠で長さを調節する。
図４の器具外枠と図５の器具内枠の素材の組み立てには、筋押し４を利用し、工具を必要としないので、子供や高齢者でも容易に組み立てができる。新型コロナウイルスの感染防止によるソーシャルディスタンスにより、避難所の収容人数が設定人員の３０％と大幅に減少しており、車内の宿泊が余儀なくされる場合に、本考案が活用できる。
【符号の説明】
【０００９】１．器具外枠
２．器具内枠
３．折込み部
４．筋押し
５．外枠の閉部
【図１】
0003229537.tif 000003
【図２】
0003229537.tif 000004
【図３】
0003229537.tif 000005
【図４】
0003229537.tif 000006
【図５】
0003229537.tif 000007
(57)【要約】      （修正有）【課題】新型コロナウイルス感染症対策の一環として、口からの飛沫を遮蔽しつつ、剣道稽古中の熱中症や呼吸障害等を予防する剣道用マスクを提供する。【解決手段】留めゴム４を剣道面内垂に掛けて装着する仕様とすることで、マスクが口部に密着せず、鼻部を覆わない構造を実現する。また、遮蔽膜部１、顎受部２には通気性、吸水性、速乾性、耐摩耗性に優れた特殊素材キャンブレルを採用し、汗止部３には吸汗性に優れたフェルト素材を採用する。また、透過性、熱放散性、吸湿性に優れ、口部からの飛沫を遮蔽しつつ熱中症や呼吸障害等の予防を可能とし、剣道の稽古中の発汗による不快さを軽減する機能を併せ持つ。素材の性質上繰り返しの洗濯も可能であり、衛生面も配慮する。【選択図】図１
0003229538.tif 000002
【実用新案登録請求の範囲】
【請求項１】
口からの飛沫遮蔽効果と顎汗止めを兼ねた、既存の剣道面に装着して使用するマスクであり、遮蔽膜部（キャンブレル製・口に接し飛沫を遮蔽する）、顎受部（キャンブレル製・遮蔽部を剣道面に保持する）、汗止部（フェルト製・汗を吸収し飛散を防ぐ）、留めゴム（本体を剣道面内垂に掛けて固定する）の４つの部品より構成され、鼻部が露出し、繰り返しの洗濯が可能という特徴を有する剣道用マスク。
【考案の詳細な説明】
【技術分野】
【０００１】
本考案は、口からの飛沫遮蔽効果と顎汗止めを兼ねた、既存の剣道面に装着して使用するマスクに関するものである。
【背景技術】
【０００２】
一般財団法人全日本剣道連盟（以下全剣連）による、新型コロナウイルス感染症対策におけるマスク装着義務の通達を受けて、それに完全に対応するための考案である。
【考案の概要】
【考案が解決しようとする課題】
【０００３】
全剣連のマスク装着義務の通達に対し、従来技術では、サージカルマスクと通常のマスクを転用したり、あるいは手拭い等で口部を覆ったりする対策が主であったが、それらの対策は口部を圧迫するため、稽古中に熱中症や呼吸障害等を引き起こす危険が高いものであった。
【０００４】
本考案は、この課題を解決すべく、全剣連による『対人稽古再開に向けた感染拡大予防ガイドライン』（２０２０年６月４日公示）、及び『感染拡大予防ガイドラインのマスクについて（新たな調査結果を受けて）』（２０２０年６月２４日公示）に沿って開発されたものである。
【課題を解決するための手段】
【０００５】
一般的なマスクのように耳にゴムを掛けるのではなく、剣道面に装着する仕様とすることで、マスクが口部に密着せず、鼻部を覆わない構造を実現する。また、遮蔽膜部、顎受部には通気性、吸水性、速乾性、耐摩耗性に優れた特殊素材キャンブレルを採用し、汗止部には吸汗性に優れたフェルト素材を採用する。
【考案の効果】
【０００６】
上述の仕様により、本考案は、全剣連より公示された前述のガイドラインに示されている「マスクと口の間に少し空間を設けると息苦しさが緩和される（横から見ると立体的になる）」、「息苦しさを緩和するため、面マスク着用の際、鼻を出して使用することが可能」といった全ての要件を満たすものである。
【０００７】
これにより、透過性、熱放散性、吸湿性に優れ、口部からの飛沫を遮蔽しつつ熱中症や呼吸障害等の予防を可能とする。また、剣道の稽古中の発汗による不快さを軽減する機能を併せ持つ。素材の性質上繰り返しの洗濯も可能であり、衛生面も配慮する。
【図面の簡単な説明】
【０００８】
【図１】本考案の剣道マスクの見取図である。
【図２】本考案の剣道マスクの正面図である。
【図３】本考案の剣道マスクの背面図である。
【考案を実施するための形態】
【０００９】
口部から顎、頬を覆うように遮蔽膜部と顎受部を立体的に縫合し、顎受部に汗止部となるフェルトを縫合する。また、剣道面内垂に掛けて固定するための留めゴムをフェルトに縫合する。
【実施例】
【００１０】
以下、添付図面に従って実施例を説明する。１はキャンブレル製のマスク本体となる遮蔽膜部であり、装着時に口部との間にやや隙間ができ、鼻部は露出する。２は１と同じくキャンブレル製の顎受部であり、これを頬から顎を覆うように、３のフェルト製の汗止部を顎下部に当てるように装着する。４の留めゴムを剣道面内垂に掛けて固定する。
【符号の説明】
【００１１】
１    遮蔽膜部
２    顎受部
３    汗止部
４    留めゴム
【図１】
0003229538.tif 000003
【図２】
0003229538.tif 000004
【図３】
0003229538.tif 000005
【手続補正書】
【提出日】令和2年9月17日(2020.9.17)
【手続補正１】
【補正対象書類名】実用新案登録請求の範囲
【補正対象項目名】請求項１
【補正方法】変更
【補正の内容】
【請求項１】
口からの飛沫遮蔽効果と顎汗止めを兼ねた、既存の剣道面に装着して使用するマスクであり、口に接し飛沫を遮蔽する遮蔽膜部、遮蔽部を剣道面に保持する顎受部、汗を吸収し飛散を防ぐ汗止部、本体を剣道面内垂に掛けて固定する留めゴムの４つの部品より構成され、鼻部が露出し、繰り返しの洗濯が可能という特徴を有する剣道用マスク。
(57)【要約】      （修正有）【課題】給油時に、石油があふれ出すということを未然に防止する石油ストーブ用燃料タンクを提供する。【解決手段】石油ストーブ用燃料タンクは、内部が本層４と予備層５に分かれており、給油時に本層４からあふれた灯油が予備層５に流れる。燃料を給油する際、予備層に灯油が流入する音によって本層への十分な補給の完了の判断を得られる。【選択図】図１
0003229540.tif 000002
【実用新案登録請求の範囲】
【請求項１】
石油ストーブ用燃料タンクにおいて内部を本層と予備層の２槽に分け、給油時に本層からあふれた燃料が予備層へ流れ、予備層への燃料が流れ込む間の時間、石油ストーブ用燃料タンクの設定された予備層の上面より油面は上昇せず、かつ本層から予備層に流れ込む燃料の音を聞き取ることができるので、燃料があふれ出すということを未然に防止するという特徴を持つ石油ストーブ用燃料タンク。
【考案の詳細な説明】
【技術分野】
【０００１】  本考案は給油時から使用時に必ず反転して使用する石油ストーブ用燃料タンク内部を二槽に分けた石油ストーブ用燃料タンクに関するものである。
【背景技術】
【０００２】  既存の石油ストーブ用燃料タンクに燃料を給油する場合、手動又は電動式自動停止装置付き石油燃焼器具用注油ポンプを使用し燃料の補充を行い、燃料の十分な充填の確認には既存のタンクに据え付けの様々な色の変わる表示板等を確認し、本層への十分な補給容量の完了を認識していた。
【考案の概要】
【考案が解決しようとする課題】
【０００３】  石油ストーブ用燃料タンクの給油の際、燃料の十分な補給容量の完了の確認には既存のタンクに据え付けの様々な色の変わる表示板等を確認し、十分な補給容量の完了を認識するのが普通である。しかし、視力弱者や肢体に不自由がある方、高齢者が給油する場合、又は健常者でも夜間、夕方の照明不足場所（納屋、ガレージ等）で給油する場合、既存のタンクに据え付けの様々な色の変わる表示板等の確認が難しく、少しの間目を離したり、自動停止装置付き石油燃焼器具用注油ポンプのセンサーが故障した場合、十分な補給容量の完了が分かりにくく、燃料があふれ出てしまうことがあり、床の汚染又は重篤な火災を引き起こす可能性をゼロにするところにある。
【課題を解決するための手段】
【０００４】  本考案は石油ストーブ用燃料タンクの内部を本層と、本層の給油口の位置より完全に離した場所に設置した予備層の二層に分け、本層に本層への十分な補給容量の完了後、石油が予備層へ流れ込む音と共に石油ストーブ用燃料タンクの油面の上昇を予備層が一杯になるまでの時間、油面の上昇を停止することが出来る。
【考案の効果】
【０００５】  本考案の石油ストーブ用燃料タンクを使用すると視力弱者や肢体に不自由がある方、高齢者、又は健常者でも夜間、夕方の照明不足場所（納屋、ガレージ等）で給油する場合でも従来の石油ストーブ用燃料タンクよりも、より安全に給油できる確率が高い。
【図面の簡単な説明】
【０００６】
【図１】本考案の二層式石油ストーブ用燃料タンクの構造断面図である。
【図２】本考案の実際の使用の燃料の流れを現した図である。
【考案を実施するための形態】
【０００７】  本考案のタンクに石油を注ぎ隔壁を超えて予備層に幾何かの燃料が流れたことを確認し、栓を占める。
【実施例】
【０００８】  添付図面２の通り、前述した十分に充填された石油ストーブ用燃料タンクを上下１８０度回転させ石油ストーブに装着し使用する。装着時には本層の上部にも、予備層の上部にも通常の気圧の空気が
存在するが、石油の消費と共に本層には空気が入り、予備層には空気が入らない。その為、本層の燃料の油面が隔壁下に達した時から予備層の燃料が本層に流れ込み、予備層の燃料の消費が始まる。おのずと本層から空気の流れが予備層に移る。その時に音を発する。
【産業上の利用可能性】
【０００９】  社会通念上火災は最も重要な事故とされその被害も甚大である。ストーブへの給油中の事故は後が絶えない状態である。この考案により、少しでもその可能性を少なくできると発案者は考えております。
現実の政策の場合、製作コストの面からみても隔壁を１枚つけるだけで制作者の経費が最小に近いもので抑えられる。また、隔壁を作らずとも、底に下部の蓋のある中空上のパイプを装着することで隔壁と同じ効果が得られる。そのパイプの太さ長さを調整することにより、油面上昇までの時間が調整でき、隔壁よりもかなり安価に製作できる。
【符号の説明】
【００１０】  ▲１▼  石油ストーブ用燃料タンク本体
▲２▼  給油口
▲３▼  隔壁
▲４▼  本層
▲５▼  予備層
図２−１通常のタンクに燃料を注入し始めた図
図２−２注入し始めた燃料が隔壁層を超えて予備層へ流入する図
図２−３予備層にも十分に燃料が流れ込んだ図
図２−４タンクを反転して使用を開始した時の図
図２−５本層の燃料が消費されて、予備層の燃料がそのまま残っている図
図２−６本層の油面が隔壁の下部に達し、隔壁内の燃料が予備層に流れていく様
図２−７通常の石油ストーブ用燃料タンクのようにすべてを使い切った図
図２−８空のタンクを１８０度回転させ、再度使用し始める図。
【図１】
0003229540.tif 000003
【図２】
0003229540.tif 000004
(57)【要約】      （修正有）【課題】サージカルマスク表面は病原菌などにより汚染されており、外したマスクを適切に保持できるラベル型マスク掛けを提供する。【解決手段】マスク掛けは、粘着部と非粘着部からなるラベル用紙を使用し、マスクの耳ゴムを掛けられるフック形状及び耳ゴム脱落を防ぐ出っ張り形状を有する形に切り抜いた非接着部と、壁などに貼付け固定する為の粘着部とで構成される。簡易に何処にでも設置ができ、安価であるため使い捨てが可能で、清潔にマスクを一時保持できる。【選択図】図２
0003229531.tif 000002
【実用新案登録請求の範囲】
【請求項１】
重量の軽い物品を一時的に吊るして保管をする際に、粘着部と非粘着部からなる安価で折り曲げ可能なラベル素材を使い、自在に貼付けて、使用後に直ぐに剥がして使い捨てにすることを可能にした軽量物専用貼付け式簡易フック。
【考案の詳細な説明】
【技術分野】
【０００１】  本考案は、サージカルマスクなどの軽量物の一時的保管を目的とした使い捨てフックに関するものである。
【背景技術】
【０００２】  一度外したサージカルマスクを再使用する場合において、表面が汚染されたマスクを食事中にテーブルに置いたり、折りたたんでポケットに入れたりしていた。
【先行技術文献】
【０００３】
【特許文献１】実開平５−４９７８  公報
【０００４】
【特許文献２】特開２００８−５８５１６（Ｐ２００８−５８５１６Ａ）  公報
【考案の概要】
【考案が解決しようとする課題】
【０００５】  感染対策としてサージカルマスクなどを使用する際に、食事中や休憩中などに一度外したマスクをテーブルなどに置いたり、折りたたんでポケットに入れたりしていたが、マスクのフィルター部表面はウイルスや病原菌に汚染されている危険性があり、マスクを不用意に扱うことにより汚染が広がる怖れがあった。  従って、マスクのフィルター表面に触れることなく、耳ゴムのみに触れるだけで吊り下げることができ、必要に応じて取付け取外しができるラベル式のフックにより解決しようとするものである。
【課題を解決するための手段】
【０００６】  本考案は、安価で折り曲げ可能なラベル素材を使い、粘着のある貼付け部と、粘着の無いフック部とから構成される貼付け式の簡易フックであり、粘着の利くあらゆる物品に取付けができ、また、簡単に取外しを可能にすることにより問題点を解決している。
【考案の効果】
【０００７】  上述のように、本考案はマスクを一時的に外して、後にもう一度装着しようとする際に、ウイルスや病原菌に汚染されている怖れのあるマスクをテーブルに置いたりポケットなどに入れることなく、必要な場所に簡易なマスク掛けを設置することにより、感染拡大を防ぐことに役立つ。
【図面の簡単な説明】
【０００８】
【図１】本考案のマスク用簡易フックラベルの外観図
【図２】本考案の使用例
【考案を実地するための形態】
【０００９】  フックラベルの粘着部を使ってマスク掛けを設置したい場所に貼り付け、必要に応じてフック部を折り曲げて、掛け易くする。又、平坦な壁などに設置する際にはフックを上向きに貼付け、フック根元にマスクの耳ゴムを掛けるか、フック部を返して使用することで掛け易くなる。
【実地例】
【００１０】  以下、添付図面に従って実地例を説明する。  １は貼付け部、２はフック部、３は粘着材で、３の粘着材により任意の場所に設置する。
【００１１】  ４はフック穴で、通常はここにマスクの耳ゴムを掛ける。  テーブルの縁などに設置する場合は５のフック頚部を折曲げることにより、マスクを掛け易くできる。  平坦な壁などに設置する場合は２のフック部を上にすることで６のフック根元にマスクを掛けたり、６の根元を折返し、さらに５の頚部を折曲げることにより掛け易くなる。
【００１２】  本考案はラベル素材であることから、安価で、簡単に剥がし取ることができるので、使用後に使い捨てることができる。  そのことにより、本来はフックの設置に向かない場所にも設置でき、１使用ごとに破棄することで清潔である。
【符号の説明】
【００１３】  １    貼付け部
２    フック部
３    粘着材
４    フック穴
５    フック頚部
６    フック根元
【図１】
0003229531.tif 000003
【図２】
0003229531.tif 000004
【手続補正書】
【提出日】令和2年8月20日(2020.8.20)
【手続補正１】
【補正対象書類名】実用新案登録請求の範囲
【補正対象項目名】請求項１
【補正方法】変更
【補正の内容】
【請求項１】
粘着部と非粘着部からなるラベル用紙を使用し、マスクの耳ゴムを掛けられるフック形状及び耳ゴム脱落を防ぐ出っ張り形状を有する形に切り抜いた非接着部と、壁などに貼付け固定する為の粘着部とで構成されるラベル型マスク掛け。